(57)【特許請求の範囲】
【請求項１】
所定の振動信号を発生する発振回路と、
前記振動信号を、１以上のタップを有するトランバーサルフィルタのいずれかのタップのタップ係数に周期的に付加するための加算器と、
前記トランバーサルフィルタの出力信号の信号品質を測定する品質測定部と、
前記振動信号を前記タップ係数へ付加したときに生じる前記振動信号の振幅に応じた前記出力信号の前記信号品質の変化幅が最適な値となるように前記タップ係数の値を最適制御するタップ係数調整部と、
を備えるトランバーサルフィルタのタップ係数制御装置。
【請求項２】
前記トランバーサルフィルタは２以上のタップを有し、
複数の前記タップのいずれかの各タップ係数と、複数の前記タップの他のいずれかの各タップ係数とに、位相又は周波数が異なる周期信号が前記振動信号として同時に付加されることを特徴とする請求項１に記載のタップ係数制御装置。
【請求項３】
前記振動信号として前記発振回路により出力される周期信号の位相を制御する位相制御部を備え、
前記トランバーサルフィルタは２以上のタップを有し、
前記発振回路は、複数の前記タップの各タップ係数に同時にそれぞれ付加される複数の前記周期信号を発生し、
前記位相制御部は、少なくとも１つの前記タップ係数に付加される周期信号の位相を、他の前記タップ係数のうち少なくとも１つに付加される周期信号の位相と異ならせる請求項１又は２に記載のタップ係数制御装置。
【請求項４】
前記振動信号として前記発振回路により出力される周期信号の周波数を制御する周波数制御部を備え、
前記トランバーサルフィルタは２以上のタップを有し、
前記発振回路は、複数の前記タップの各タップ係数に同時にそれぞれ付加される複数の前記周期信号を発生し、
前記周波数制御部は、少なくとも１つの前記タップ係数に付加される周期信号の周波数を、他の前記タップ係数のうち少なくとも１つに付加される周期信号の周波数と異ならせる請求項１又は２に記載のタップ係数制御装置。
【請求項５】
前記トランバーサルフィルタは２以上のタップを有し、
前記振動信号は、前記トランバーサルフィルタの両端のタップの一方又は両方のタップ係数に付加される請求項１〜４のいずれか一項に記載のタップ係数制御装置。
【請求項６】
前記信号品質が最適な値となるように前記トランバーサルフィルタのタップのタップ係数を最適制御するタップ係数制御部と、
前記トランバーサルフィルタの出力信号の振幅値を検出する振幅検出部と、
前記出力信号の振幅の検出値に従って前記トランバーサルフィルタの全てのタップのタップ係数同士の比率を維持したままタップ係数を変化させることにより、前記出力信号の振幅値をフィードバック制御する振幅制御部と、
を備える請求項１〜５のいずれか一項に記載のタップ係数制御装置。
【請求項７】
前記振幅検出部は、複数のブランチを流れる電気信号の波形等化を各々行う各前記トランバーサルフィルタの出力信号の振幅値を各々検出し、
前記タップ係数制御装置は、前記複数のブランチ間の前記出力信号の振幅値の差を算出する演算回路を備え、
前記振幅制御部は、前記複数のブランチ間の前記出力信号の振幅値の差を小さくするように前記出力信号の振幅値を制御する請求項６に記載のタップ係数制御装置。
【請求項８】
前記振幅検出部は、複数のブランチを流れる電気信号の波形等化を各々行う各前記トランバーサルフィルタの出力信号の振幅値を各々検出し、
前記タップ係数制御装置は、前記複数のブランチ間の前記出力信号の振幅値の和を算出する演算回路を備え、
前記振幅制御部は、前記複数のブランチ間の前記出力信号の振幅値の平均値が所定の範囲内に入るように前記出力信号の振幅値を制御する請求項６に記載のタップ係数制御装置。
【請求項９】
請求項１〜８のいずれか一項に記載のタップ係数制御装置と、
受信した多値変調光信号を電気信号に復調する復調回路と、
前記タップ係数制御装置によりタップ係数が制御され、かつ前記復調回路により復調された電気信号の波形等化を行うトランバーサルフィルタと、
を備える光受信装置。
【請求項１０】
請求項９に記載の光受信装置と、
送信信号を前記多値変調光信号へ変調して前記光受信装置に送信する光送信装置と、
前記光受信装置と前記光送信装置との間の光伝送路と、
を備える光通信システム。
【請求項１１】
所定の振動信号を、１以上のタップを有するトランバーサルフィルタのいずれかのタップのタップ係数へ周期的に付加し、
前記トランバーサルフィルタの出力信号の信号品質を測定し、
前記振動信号を前記タップ係数へ付加したときに生じる前記振動信号の振幅に応じた前記出力信号の前記信号品質の変化幅が最適な値となるように前記タップ係数の値を最適制御する、
トランバーサルフィルタのタップ係数の制御方法。
【請求項１２】
前記トランバーサルフィルタは２以上のタップを有し、
複数の前記タップのいずれかの各タップ係数と、複数の前記タップの他のいずれかの各タップ係数とに、位相又は周波数が異なる周期信号を前記振動信号として同時に付加することを特徴とする請求項１１に記載の制御方法。
【請求項１３】
前記トランバーサルフィルタは２以上のタップを有し、
前記振動信号としての複数の周期信号を、複数の前記タップの各タップ係数に同時にそれぞれ付加し、
少なくとも１つの前記タップ係数に付加される周期信号の位相を、他の前記タップ係数のうち少なくとも１つに付加される周期信号の位相と異ならせる請求項１１又は１２に記載の制御方法。
【請求項１４】
前記トランバーサルフィルタは２以上のタップを有し、
前記振動信号としての複数の周期信号を、複数の前記タップの各タップ係数に同時にそれぞれ付加し、
少なくとも１つの前記タップ係数に付加される周期信号の周波数を、他の前記タップ係数のうち少なくとも１つに付加される周期信号の周波数と異ならせる請求項１１又は１２に記載の制御方法。
【請求項１５】
前記トランバーサルフィルタは２以上のタップを有し、
前記振動信号は、前記トランバーサルフィルタの両端のタップの一方又は両方のタップ係数に付加される請求項１１〜１４のいずれか一項に記載の制御方法。
【請求項１６】
前記信号品質が最適な値となるように前記トランバーサルフィルタのタップのタップ係数を最適制御し、
前記トランバーサルフィルタの前記出力信号の振幅値を検出し、
前記出力信号の振幅の検出値に従って前記トランバーサルフィルタの全てのタップのタップ係数同士の比率を維持したままタップ係数を変化させることにより、前記出力信号の振幅値をフィードバック制御する請求項１１〜１５のいずれか一項に記載の制御方法。
【請求項１７】
複数のブランチを流れる電気信号の波形等化を各々行う各前記トランバーサルフィルタの出力信号の振幅値を各々検出し、
前記複数のブランチ間の前記出力信号の振幅値の差を算出し、
前記複数のブランチ間の前記出力信号の振幅値の差を小さくするように前記出力信号の振幅値を制御する請求項１６に記載の制御方法。
【請求項１８】
複数のブランチを流れる電気信号の波形等化を各々行う各前記トランバーサルフィルタの出力信号の振幅値を各々検出し、
前記複数のブランチ間の前記出力信号の振幅値の和を算出し、
前記複数のブランチ間の前記出力信号の振幅値の平均値が所定の範囲内に入るように前記出力信号の振幅値を制御する請求項１６に記載の制御方法。
【発明の詳細な説明】
【技術分野】
【０００１】
本発明は、電気分散補償器に用いられるトランバーサルフィルタのタップ係数の制御に関する。より詳しくは、光受信装置において復調された電気信号の波形等化を行うトランバーサルフィルタのタップ係数の制御に関する。
【背景技術】
【０００２】
近年、光伝送システムにおける周波数利用効率を向上させる通信方式として、差動４位相偏移変調（以下「ＤＱＰＳＫ」と記す）方式の研究が活発に行われている。光通信システムでは、光ファイバや光増幅器などの光部品の波長分散や偏波モード分散に起因して波形劣化が生じるため、これらの分散の補償を行うことが行われている。下記特許文献１には、電気分散補償器を用いて、ＤＱＰＳＫ変調方式で変調された受信信号の分散補償を行う伝送システムが開示されている。
【０００３】
【特許文献１】特開２００７−３２５０９５号公報
【発明の開示】
【発明が解決しようとする課題】
【０００４】
光信号から復調した電気信号の波形等化を電気分散補償器で行う光受信装置において、電気分散補償器に設けられたトランバーサルフィルタのタップ係数を可変制御する場合には次のような課題が考えられる。
伝送路や送受信装置の特性変化等の状況変化により現在のタップ係数の設定が現状に適さなくなった場合には、できるだけ早くタップ係数の設定を調整する必要がある。光通信システムのビットレート高速化に伴い、状況変化に対するタップ係数の適応制御の追従性を高め、不適切なタップ設定がデータに影響を及ぼす範囲を極力減らすことが求められる。
また、トランバーサルフィルタのタップ係数を自動的に可変制御すると、その出力信号振幅が後段の素子の入力定格範囲を超えることも起こりえる。
【０００５】
そこで、開示の装置及び方法は、電気分散補償器により受信信号の波形等化で行う光受信装置において、電気分散補償器に設けられたトランバーサルフィルタのタップ係数を可変制御する場合の課題を解決することを目的とする。
【課題を解決するための手段】
【０００６】
開示されるタップ係数制御装置は、所定の振動信号を発生する発振回路と、この振動信号を、１以上のタップを有するトランバーサルフィルタのいずれかのタップのタップ係数に周期的に付加するための加算器と、トランバーサルフィルタの出力信号の信号品質を測定する品質測定部と、振動信号をタップ係数へ付加したときに生じる出力信号の信号品質の変化量が最適な値となるようにタップ係数の値を最適制御するタップ係数調整部と、を有する。
後述のとおり、トランバーサルフィルタで波形等化された信号の信号品質はタップ係数に依存し、タップ係数が最適値からずれたときに信号品質の変化量が急激に大きくなる。したがって、タップ係数に振動信号を与えて変動させたときに現れる信号品質の変化量を指標値として用いてタップ係数の最適化制御を行うことにより、早く最適値へ収束させることができる。
【０００７】
また、開示されるタップ係数制御装置は、トランバーサルフィルタの出力信号の信号品質を測定する品質測定部と、信号品質が最適な値となるようにトランバーサルフィルタのタップのタップ係数を最適制御するタップ係数制御部と、トランバーサルフィルタの出力信号の振幅値を検出する振幅検出部と、出力信号の振幅の検出値に従ってトランバーサルフィルタの全てのタップのタップ係数同士の比率を維持したままタップ係数を変化させることにより、出力信号の振幅値をフィードバック制御する振幅制御部と、を有する。トランバーサルフィルタの出力信号の振幅値を制御することで、後段の素子の入力信号振幅が定格範囲を超えることを防ぐことができる。
【発明の効果】
【０００８】
開示の装置及び方法によれば、電気分散補償器により受信信号の波形等化で行う光受信装置において、トランバーサルフィルタのタップ係数の可変制御を円滑に行うことができる。
【発明を実施するための最良の形態】
【０００９】
添付する図面を参照して実施例を説明する。図１は、本光通信システムの全体構成図である。光通信システム１００は、送信すべき信号を多値変調光信号へ変調して送出する光送信装置１０１と、光送信装置１０１から送出された多値変調光信号を伝送する光伝送路１０１と、光伝送路１０１により伝送される多値変調光信号を受信する光受信装置１とを備える。
【００１０】
図２は、本光受信装置の第１実施例の構成図である。以下の説明では、例として、光受信装置１がＤＱＰＳＫ変調方式で変調された光信号を復調するものとして説明を行う。しかしながら開示の光受信装置は、ＤＱＰＳＫ変調方式以外にも、例えば４位相以外の位相数の位相を用いた差動多位相偏移変調方式で変調された光信号を復調する光受信装置にも適用可能であり、さらにいえば差動多位相偏移変調方式以外の他の多値変調方式によって変調された光信号を復調する光受信装置において、分散補償や波形等化を行う場合にも適用可能である。
【００１１】
光受信装置１は、遅延干渉計２と、遅延干渉計２から異なるブランチＢ１及びＢ２へ出力される光信号を電気信号にそれぞれ変換するバランストダイオード３ａ及び３ｂと、バランストダイオード３ａ及び３ｂの出力信号をそれぞれアンプ４ａ及び４ｂを介して入力し、これら出力信号の波形等化を行い入力信号に含まれる分散を補償する電気分散補償器（ＥＤＣ：Electronic Dispersion Compensation）５ａ及び５ｂと、ＥＤＣ５ａ及び５ｂの出力信号をディジタルデータに変換する識別回路６を有する。識別回路６は、ＥＤＣ５ａ及び５ｂの出力信号をそれぞれ２値信号に変換するＣＤＲ（Clock and Data Recovery）回路６１ａ及び６１ｂと、ＣＤＲ回路６１ａ及び６１ｂからの信号を多重化する多重化回路（ＭＵＸ）６２とを備えている。
【００１２】
ＥＤＣ５ａ及び５ｂは、複数のタップ端子を有するトランスバーサルフィルタを備える。光受信装置１は、ＥＤＣ５ａ及び５ｂのタップ端子のタップ係数を決定するタップ係数決定部１０と、ＥＤＣ５ａ及び５ｂの出力信号の信号品質を測定する品質測定部２０を有する。
【００１３】
品質測定部２０は、ＥＤＣ５ａ及び５ｂの出力信号の信号品質として様々な指標を採用することができる。例えば品質測定部２０は、ＣＤＲ回路６１ａ及び６１ｂにより再生されたディジタル信号に含まれる誤り訂正符号を検出することによりビット誤り率（ＢＥＲ）を信号品質として算出してよい。
また品質測定部２０は、アイモニタによってＥＤＣ５ａ及び５ｂが出力するアナログ信号のアイ開口率を測定し、これを信号品質としてもよい。さらに品質測定部２０は、ＥＤＣ５ａ及び５ｂが出力するアナログ信号の周波数スペクトルを検出し、信号ビットレートに応じた所定の周波数範囲と、検出した周波数スペクトルの位置との間の差を測定し、この差を信号品質としてもよい。さらに品質測定部２０は、トレーニングデータを用いて求めた等化誤差やユーザデータと復号データとの差として求めた等化誤差を信号品質としてもよい。また、品質測定部２０は、複数の種類の信号品質を測定して出力してもよい。
【００１４】
タップ係数決定部１０は、タップ係数最適制御部１１と、タップ係数調整部１２と、記憶部１３と、発振回路１４ａ及び１４ｃと、加算器１５ａ、１５ｃ、１６ａ及び１６ｃとを有する。
タップ係数最適制御部１１は、光受信装置１の起動時に及び／又は所定の第１調整間隔ごとに、その時点における波長分散や偏波分散などである暫定的な伝送条件の下で品質測定部２０が出力する信号品質が最適値となるように、ＥＤＣ５ａ及び５ｂのタップ係数を最適制御する。
【００１５】
タップ係数調整部１２は、所定の第１調整間隔より短い第２調整間隔ごとに又は常に、ＥＤＣ５ａが有するタップ端子のいずれかのタップ係数と、ＥＤＣ５ｂが有するタップ端子のいずれかのタップ係数を調整する。タップ係数調整部１２は、タップ係数最適制御部１１が決定したタップ係数を補正する補正信号を出力する。この補正信号は、上記の暫定的な伝送条件の下でタップ係数最適制御部１１によって決定されたタップ係数へ、１６ａ及び１６ｃにより付加される。これによって、タップ係数調整部１２は、タップ係数最適制御部１１がタップ係数を決定した後の状態変化に追従して、ＥＤＣ５ａ及び５ｂのタップ係数を調整する。記憶部１３は、タップ係数調整部１２が出力する補正信号の値を記憶するために使用される。
【００１６】
発振回路１４ａは、タップ係数調整部１２により調整されるＥＤＣ５ａのタップ係数に加える振動信号を発生させ、加算器１５ａは、この振動信号をタップ係数調整部１２から出力される補正信号に付加する。
一方で、発振回路１４ｃは、タップ係数調整部１２により調整されるＥＤＣ５ｂのタップ係数に加える振動信号を発生させ、加算器１５ｃは、この振動信号をタップ係数調整部１２から出力される補正信号に付加する。
発振回路１４ａ及び１４ｃは、所定の振幅を有する周期信号、例えば正弦波、方形波、ノコギリ波を振動信号して発生させる。
【００１７】
タップ係数調整部１２は、第２調整間隔ごとに又は常に、振動信号がＥＤＣ５ａ及びＥＤＣ５ｂのタップ係数に付加されるように発振回路１４ａ及び１４ｃを制御し、振動信号がタップ係数へ付加されたときに品質測定部２０が測定する信号品質の変化量が最適な値となるようにタップ係数の値を最適制御する。
品質測定部２０は、タップ係数最適制御部１１とタップ係数調整部１２とに、信号品質を示す品質指示信号を供給する。品質測定部２０は、タップ係数最適制御部１１とタップ係数調整部１２とに同じ品質指示信号を供給してもよく、異なる種類の品質指示信号や異なる決定方法で決定した品質指示信号を供給してもよい。
【００１８】
なお、図２の構成例では、ＥＤＣ５ａ及び５ｂは４つのタップ端子を有しているが、ＥＤＣのタップ端子の数は４に限られない。タップ係数決定部１０は、４つ以外のタップ端子を有するＥＤＣの制御に使用することもできる。
また、図２の構成例では、タップ係数調整部１２は、ＥＤＣ５ａ及び５ｂ毎に１つのタップ端子のタップ係数（第１タップ係数）を調整するが、タップ係数調整部１２は、ＥＤＣ５ａ及び５ｂ毎に複数のタップ端子のタップ係数を調整してもよい。
またタップ係数調整部１２は、両端のタップ端子のタップ係数、すなわち最も遅延が少ない信号に乗じられるタップ係数と最も遅延が大きい信号に乗じられるタップ係数の一方及び／又は両方を調整してもよい。
これらは以下の他の実施例でも同様である。
【００１９】
図３は、タップ係数の制御方法の第１実施例を示すフローチャートである。光受信装置１を起動したとき、ステップＳ１０において、タップ係数最適制御部１１は、その時点における波長分散や偏波分散などである暫定的な伝送条件の下で品質測定部２０が出力する信号品質が最適値となるように、ＥＤＣ５ａ及び５ｂのタップ係数を最適制御する。
タップ係数最適制御部１１がタップ係数を最適制御する適応アルゴリズムとして、様々なものを採用することができる。図４は、図３に示すタップ係数の最適化ルーチンの例のフローチャートである。
【００２０】
ステップＳ２０において、品質測定部２０がＥＤＣ５ａ及びＥＤＣ５ｂの出力する出力信号の信号品質を測定する。なお、以下の説明では、品質測定部２０がＢＥＲを信号品質として測定するが、品質測定部２０は、信号品質として上記に例示した指標を含む様々な指標を信号品質として測定してよい。
ステップＳ２１において、タップ係数最適制御部１１は、制御の対象となるタップ係数の値を、所定量Δｃ１分変更する。そしてステップＳ２２において品質測定部２０が再度ＢＥＲを測定する。本図では、品質測定部２０はＣＤＲ回路６１ａ及び６１ｂの後に配置されているが、品質測定部２０はＭＵＸ６２の後に配置され、ＭＵＸ６２から出力される情報を測定して信号品質を測定してもよい。
【００２１】
ステップＳ２３において、タップ係数最適制御部１１は、ステップＳ２０で測定したＢＥＲとステップＳ２２で測定したＢＥＲとを比較して、対象とするタップ係数を正負いずれの方向に調整すべきかを決定する。例えば、ステップＳ２１での変更によりＢＥＲが改善した場合には、調整方向をステップＳ２１での変更方向と同じ方向とする。ステップＳ２１での変更によりＢＥＲが悪化した場合には、調整方向をステップＳ２１での変更方向と逆方向とする。
【００２２】
ステップＳ２４において、タップ係数最適制御部１１は、ステップＳ２３で決定した調整方向へタップ係数を所定量Δｃ２分変更し、ステップＳ２５において品質測定部２０が再度ＢＥＲを測定する。ステップＳ２４及びＳ２５は、ステップＳ２６でＢＥＲが最適値に至ったと判定されるまで反復される。ただし、ステップＳ２４及びＳ２５を反復する過程において、適宜タップ係数を変更する方向を決定するステップＳ２３を適用する場合もある。
【００２３】
ステップＳ２６においてタップ係数最適制御部１１は、ＢＥＲが最適値に至ったか否かを判定する。例えばタップ係数最適制御部１１は、ステップＳ２４及びＳ２５の反復ループにおいて連続して測定されたＢＥＲの差が所定値以下となったとき、ＢＥＲが最適値に至ったと判定してよい。
ステップＳ２７において、タップ係数最適制御部１１はＢＥＲが最適値に至ったときのタップ係数を、使用すべきタップ係数として決定する。以上、ステップＳ２０〜Ｓ２７を、ＥＤＣ５ａ及びＥＤＣ５ｂの全てのタップ係数について行う。
【００２４】
図４に示す最適化ルーチンは、あくまで例示であり信号品質が最適値に収束させるために様々な適応アルゴリズムを使用することができる。また、品質測定部２０が品質指示信号として等化誤差信号を使用して、ＬＭＳ（Least Mean Square）アルゴリズムやＲＬＳ（Recursive Least Squares）アルゴリズムなどを用いてもよい。
【００２５】
図３に戻り、ステップＳ１１及びＳ１２において、タップ係数最適制御部１１は所定の第１調整間隔ごとにステップＳ１０と同様のタップ係数の最適化制御を行う。すなわちステップＳ１１において、タップ係数最適制御部１１は、前回の最適化制御を行ってから所定の第１調整間隔が経過したか否かを判定し、第１調整間隔が経過している場合には、ステップＳ１０と同様のタップ係数の最適化制御を行う。
【００２６】
ステップＳ１３では、タップ係数調整部１２は、ＥＤＣ５ａ及び５ｂの第１タップ係数の調整を行う時期であるか否かを判定する。例えば、タップ係数調整部１２による調整間隔を、タップ係数最適制御部１１による第１調整間隔より短い第２調整間隔として定め、タップ係数調整部１２が前回の調整を行ってから第２調整間隔が経過したか否かを判定してよい。またステップＳ１３の判定を省略して、タップ係数最適制御部１１は常時ＥＤＣ５ａ及び５ｂの第１タップ係数の調整を行うこととしてもよい。
【００２７】
ステップＳ１４において、タップ係数調整部１２は、発振回路１４ａ及び１４ｃにより発生させた振動信号がＥＤＣ５ａ及び５ｂの第１タップ係数へそれぞれ付加されたときに、品質測定部２０が出力する信号品質の変化量が最適値となるようにこれらのタップ係数の値を最適制御する。これにより、タップ係数調整部１２は、タップ係数最適制御部１１がタップ係数を決定した後の状態変化に追従して、ＥＤＣ５ａ及び５ｂのタップ係数を調整する。
タップ係数調整部１２がタップ係数を最適制御する適応アルゴリズムとして、様々なものを採用することができる。図５は、図３に示すタップ係数の調整ルーチンの例のフローチャートである。
【００２８】
ステップＳ３０において、タップ係数調整部１２は、発振回路１４ａ及び１４ｃに指令して振動信号を発生させる。発振回路１４ａから発生した振動信号は、加算器１５ａ及び１６ａを介してＥＤＣ５ａの第１タップ係数に付加され、これによりＥＤＣ５ａの第１タップ係数が振動する。また、発振回路１４ｃから発生した振動信号は、加算器１５ｃ及び１６ｃを介してＥＤＣ５ｂの第１タップ係数に付加され、これによりＥＤＣ５ｂの第１タップ係数が振動する。
【００２９】
なお、発振回路１４ａ及び１４ｃが生じる振動信号の周波数は、回路の特性、規模およびコストを考慮すると、ＥＤＣ５ａ及び５ｂが出力する信号のビットレートに比べて低周波である方が望ましい。
また、ＣＤＲ回路６１ａ及び６１ｂの後段に配置されることがある誤り訂正（ＦＥＣ）回路には、入力信号におけるビット誤り率の微小な変動は出力信号のビット誤り率にあまり影響を与えないという性質がある。このためタップ係数に微小の振動信号を付加しても光受信装置１の受信性能は殆ど劣化を生じない。
さらに、ＥＤＣ５ａ及び５ｂの出力信号内の誤り訂正符号を含むサブフレームの１周期よりも、発振回路１４ａ及び１４ｃによる振動信号の振動周期を短くしてもよい。これによって、誤り訂正符号を含むサブフレームの１周期に亘って、振動信号の付加による影響を平均化することができるため、振動信号の付加による光受信装置１の受信性能の劣化をより低減することができる。
これらは以下の他の実施例についても同様である。
【００３０】
ステップＳ３１において、品質測定部２０は、第１タップ係数が振動している間のＥＤＣ５ａ及びＥＤＣ５ｂの出力する出力信号の信号品質、ここでは例えばＢＥＲを測定する。タップ係数調整部１２は、第１タップ係数の振動の周期に亘って生じるＢＥＲの変化量を検出する。
ステップＳ３２において、タップ係数調整部１２は、ＥＤＣ５ａ及び５ｂの第１タップ係数を補正する補正信号を所定量Δｃ３分変更することによって、これら第１タップ係数の値を所定量Δｃ３分変更する。そしてステップＳ３３においてステップＳ３１と同様にＢＥＲの変化量を検出する。
【００３１】
ステップＳ３４において、タップ係数調整部１２は、ステップＳ３１で測定したＢＥＲの変化量とステップＳ３３で測定したＢＥＲの変化量とを比較して、ＥＤＣ５ａ及び５ｂのそれぞれの第１タップ係数の値を、正負いずれの方向に調整すべきかを決定する。
【００３２】
図６は、図５に示すタップ係数の調整ルーチンの説明図である。図６は、４つのタップを有するＥＤＣにおいて第１及び第４タップ係数をそれぞれ変化させた場合におけるＢＥＲの変化のシミュレーション結果を示す。図中で点線にて示される境界線は、第１タップ係数及び第４タップ係数の各値に対するＢＥＲの値を示す。また図中に示されたＢＥＲの値は、所定のＢＥＲの値に対する相対値をディジベル［ｄＢ］にて表示した値である。
【００３３】
図から明らかなように、ＢＥＲが小さい、すなわち信号品質が最も高い点である最適点Ｐ１付近ではタップ係数の変化に対するＢＥＲの変化率が小さいのに対し、最適点から外れたＰ２付近では、タップ係数の変化に対するＢＥＲの変化率が大きい。したがって、最適点Ｐ１の付近で所定幅の範囲Ｒ１だけタップ係数を振動させたときのＢＥＲの変化量は、最適点から外れたＰ２付近で所定幅の範囲Ｒ２だけタップ係数を振動させたときのＢＥＲの変化量よりも小さくなる。このように、タップ係数に振動信号を与えて変動させたときに現れるＢＥＲの変化量、すなわち信号品質の変化量は、タップ係数の現在の設定値と最適値との距離を示す指標値となり、このような指標値を用いてタップ係数の最適化制御を行うことにより早く最適値へ収束させることができる。
【００３４】
したがって、ステップＳ３２での変更によりＢＥＲの変化率が低減した場合には、調整方向をステップＳ３２での変更方向と同じ方向とする。ステップＳ３２での変更によりＢＥＲの変化率が増加した場合には、調整方向をステップＳ３２での変更方向と逆方向とする。
【００３５】
ステップＳ３５において、タップ係数調整部１２は、ステップＳ３４で決定した調整方向へ、ＥＤＣ５ａ及び５ｂの第１タップ係数を補正する補正信号を所定量Δｃ４分することによりこれらタップ係数を所定量Δｃ４分変更し、ステップＳ３６において再びＢＥＲの変化量を検出する。ステップＳ３５及びＳ３６は、ステップＳ３７でＢＥＲの変化量が最適値に至ったと判定されるまで反復される。
【００３６】
ステップＳ３７においてタップ係数調整部１２は、ＢＥＲの変化量が最適値に至ったか否かを判定する。例えばタップ係数調整部１２は、ステップＳ３５及びＳ３６の反復ループにおいて連続して検出されたＢＥＲの変化量同士の差が所定値以下となったとき、ＢＥＲの変化量が最適値に至ったと判定してよい。
ステップＳ３８において、タップ係数調整部１２はＢＥＲの変化量が最適値に至ったときの各第１タップ係数を補正した補正信号を記憶部１３に記憶し、以後、第１タップ係数を補正する補正信号として使用する。タップ係数調整部１２は、発振回路１４ａ及び１４ｃに指令して振動信号の発生を停止させる。
１つＥＤＣについて複数のタップ端子について調整を行う場合には、調整を行うタップ端子毎にステップＳ３０〜Ｓ３８を繰り返す。
なお、図６に示す調整ルーチンはあくまで例示であり、ＢＥＲの変化量を最適値に収束させるために様々な適応アルゴリズムを使用することができる。
【００３７】
図７は、本光受信装置の第２実施例の構成図である。図２に示した光受信装置の構成要素と同様の構成要素については同じ参照符号を付し、同様の機能について説明を省略する。
図７の構成例では、各ＥＤＣ５ａ及び５ｂについて、複数のタップ係数を同時に振動させる。例えば４つのタップ端子を有するＥＤＣ５ａ及び５ｂの第１タップ端子に加えて第４タップ端子を振動させる。
このため、タップ係数決定部１０は、ＥＤＣ５ａの第４タップ係数に加える振動信号を発生させるための発振回路１４ｂと、同じくＥＤＣ５ｂの第４タップ係数に加える振動信号を発生させるための発振回路１４ｄと、加算器１５ｂ、１５ｄ、１６ｂ及び１６ｄを備える。
【００３８】
一方で、タップ係数調整部１２は、ＥＤＣ５ａ及び５ｂの第４タップ係数に加える補正信号を出力する。
発振回路１４ｂは、タップ係数調整部１２により調整されるＥＤＣ５ａの第４タップ係数に加える振動信号を発生させ、加算器１５ｂは、この振動信号をタップ係数調整部１２から出力される補正信号に付加する。振動信号を付加された補正信号は、加算器１６ｂによって、タップ係数最適制御部１１から出力されるタップ係数に付加される。
発振回路１４ｄは、タップ係数調整部１２により調整されるＥＤＣ５ｂの第４タップ係数に加える振動信号を発生させ、加算器１５ｄは、この振動信号をタップ係数調整部１２から出力される補正信号に付加する。振動信号を付加された補正信号は、加算器１６ｄによって、タップ係数最適制御部１１から出力されるタップ係数に付加される。
タップ係数調整部１２は、上記の第２調整間隔ごとに又は常に、振動信号がＥＤＣ５ａ及びＥＤＣ５ｂのタップ係数に付加されるように発振回路１４ａ〜１４ｄを制御し、振動信号がタップ係数へ付加されたときに品質測定部２０が測定する信号品質の変化量が最適な値となるようにタップ係数の値を最適制御する。
【００３９】
さらに、タップ係数決定部１０は、ＥＤＣ５ａの第１及び第４タップ係数に付加される振動信号を発生させる発振回路１４ａ及び１４ｂを制御し、ＥＤＣ５ａの第１及び第４タップ係数に付加される振動信号間の周波数及び／又は位相を設定するとともに、ＥＤＣ５ｂの第１及び第４タップ係数に付加される振動信号を発生させる発振回路１４ｃ及び１４ｄを制御し、ＥＤＣ５ｂの第１及び第４タップ係数に付加される振動信号間の周波数及び／又は位相を設定する周波数／位相設定部１７を備える。
また本実施例において１つのＥＤＣについて複数のタップ係数を同時に振動させるとき、振動を与えるタップ係数の全てを同時に振動させてもよく、振動させる複数のタップ係数のうちの一部の複数のタップ係数を同時に振動させてもよい。
【００４０】
図８は、タップ係数の制御方法の第２実施例を示すフローチャートである。光受信装置１を起動したとき、ステップＳ４０において、周波数／位相設定部１７は、ＥＤＣ５ａの第１及び第４タップ係数に付加される振動信号間の周波数及び／又は位相と、ＥＤＣ５ｂの第１及び第４タップ係数に付加される振動信号間の周波数及び／又は位相を設定する。これらの設定例は後述する。
【００４１】
ステップＳ１０〜Ｓ１３の処理は、図３のステップＳ１０〜Ｓ１３の処理と同様である。ステップＳ４１においてタップ係数調整部１２は、発振回路１４ａ及び１４ｂにより発生させた振動信号がＥＤＣ５ａの第１及び第４タップ係数へそれぞれ付加され、発振回路１４ｃ及び１４ｄにより発生させた振動信号がＥＤＣ５ｂの第１及び第４タップ係数へそれぞれ付加されたときに、品質測定部２０が出力する信号品質の変化量が最適値となるように、ＥＤＣ５ａの第１及び第４タップ係数の値を同時に最適制御し、またＥＤＣ５ｂの第１及び第４タップ係数の値を同時に最適制御する。
【００４２】
タップ係数調整部１２がタップ係数を最適制御する適応アルゴリズムとして、様々なものを採用することができる。図９は、図８に示すタップ係数の調整ルーチンの例のフローチャートである。
【００４３】
ステップＳ５０では、タップ係数調整部１２は、発振回路１４ａ〜１４ｄに指令して振動信号を発生させ、発振回路１４ａ及び１４ｂにより発生させた振動信号をＥＤＣ５ａの第１及び第４タップ係数へそれぞれ付加し、発振回路１４ｃ及び１４ｄにより発生させた振動信号をＥＤＣ５ｂの第１及び第４タップ係数へそれぞれ付加することにより、各ＥＤＣ５ａ及びＥＤＣ５ｂにおいて第１及び第４タップ係数を同時に振動させる。発振回路１４ａ及び１４ｂが生じる振動信号の間の周波数差及び／又は位相差、発振回路１４ｃ及び１４ｄが生じる振動信号の間の周波数差及び／又は位相差は、ステップＳ４０において周波数／位相設定部１７により設定されている。
【００４４】
ステップＳ５１において、品質測定部２０は、第１及び第４タップ係数が振動している間のＥＤＣ５ａ及びＥＤＣ５ｂの出力する出力信号の信号品質を測定する。なお、以下の説明では、品質測定部２０がＢＥＲを信号品質として測定するが、品質測定部２０は、信号品質として上記に例示した指標を含む様々な指標を信号品質として測定してよい。タップ係数調整部１２は、第１及び第４タップ係数の振動の周期のいずれか長い方の周期に亘って生じるＢＥＲの変化量を検出する。
【００４５】
ステップＳ５２〜Ｓ５３のループでは、第１及び第４タップ係数を、例えば図１０のように定めた所定の複数の変化方向ｄ１〜ｄ８のそれぞれへ、一定の距離ｒだけ変更する。タップ係数の変更は、タップ係数調整部１２が、ＥＤＣ５ａ及び５ｂの第１及び第４タップ係数を補正する補正信号を変更することによって行われる。各変化方向ｄ１〜ｄ８に変更した後に、ステップＳ５１と同様にＢＥＲの変化量をそれぞれ検出する。
ここで、一定の距離ｒだけ第１及び第４タップ係数を変更するとは、第１タップ係数の変化量と第４タップ係数の変化量の二乗和が一定であるという意味である。
【００４６】
ステップＳ５４では、タップ係数調整部１２はＢＥＲの変化量が最適値に至ったか否かを判定する。図１１は、図９に示すタップ係数の調整ルーチンの説明図である。図１１は図６と同様のＢＥＲの変化のシミュレーション結果を示す。
点Ｐ１や点Ｐ２の座標は、タップ係数最適制御部１１から出力されたタップ係数をタップ係数調整部１２により補正した後の補正後の第１及び第４タップ係数の値を示す。
曲線Ｃ１は、補正後のタップ係数が点Ｐ１にあるときに、補正された第１及び第４タップ係数の両方を振動信号により振動させた場合の第１及び第４タップ係数の軌跡を示す。また、曲線Ｃ２は、補正後のタップ係数が点Ｐ２にあるときに、補正された第１及び第４タップ係数の両方を振動信号により振動させた場合の第１及び第４タップ係数の軌跡を示す。本例では、第１及び第４タップ係数にそれぞれ付加される振動信号に９０度の位相差を設けてあるため、タップ係数の軌跡が略円形になっている。
【００４７】
信号品質が最も高い点である最適点Ｐ１付近ではタップ係数の変化に対するＢＥＲの変化率が小さいため、曲線Ｃ１に沿ったＢＥＲの変化量は小さく、最適点から外れたＰ２付近ではタップ係数の変化に対するＢＥＲの変化率が大きいため、曲線Ｃ２に沿ったＢＥＲの変化量は大きくなる。
したがって、タップ係数調整部１２は、ステップＳ５２においてタップ係数を変更する前後において検出したＢＥＲの変化量同士の差を、各変化方向ｄ１〜ｄ８毎にそれぞれ算出し、ＢＥＲの変化量同士の差が最も大きいものが所定の閾値以下であるとき、ＢＥＲの変化量が最適値に至ったと判定する。このとき、ステップＳ５５において、タップ係数調整部１２はＢＥＲの変化量が最適値に至ったときの各第１及び第４タップ係数を補正した補正信号を記憶部１３に記憶し、以後、第１及び第４タップ係数を補正する補正信号として使用する。タップ係数調整部１２は、発振回路１４ａ〜１４ｄに指令して振動信号の発生を停止させる。
【００４８】
ＢＥＲの変化量が最適値に至っていないと判定した場合は、ステップＳ５６において、第１及び第４タップ係数の調整方向を決定する。タップ係数調整部１２は、各変化方向ｄ１〜ｄ８毎にそれぞれ算出したＢＥＲの変化量のうち、タップ係数の変更前後で、最も低下したＢＥＲの変化量を選択し、このＢＥＲの変化量が算出された方向を調整方向に決定する。
そしてステップＳ５７において、決定した調整方向へ第１及び第４タップ係数を所定距離ｒ分変更し、処理をステップＳ５１へ戻す。
【００４９】
ここで、曲線Ｃ１やＣ２に沿いながら、すなわち第１及び第４タップ係数の両方を同時に振動させて２次元的に変化させながら検出したときのＢＥＲの変化率は、これら２次元方向の両方におけるタップ係数の変化に対するＢＥＲの変化率に関する情報を含んでいる。したがって曲線Ｃ１やＣ２に沿って検出したときのＢＥＲの変化率を指標値として、ＢＥＲの変化率が最適になるように最適化制御を行うことにより、第１及び第４タップ係数の両方を同時に調整することが可能となり、制御時間の大幅な短縮を可能とする。
【００５０】
なお、図９に示す調整ルーチンはあくまで例示であり、ＢＥＲの変化量を最適値に収束させるために様々な適応アルゴリズムを使用することができる。
また、本実施例では、１つのＥＤＣについて２つのタップ係数を同時に振動させてこれらのタップ係数を同時に調整したが、３つ以上のタップ係数を同時に振動させてこれらのタップ係数を同時に調整してもよい。
【００５１】
図１２の（Ａ）は、周波数／位相設定部１７による、複数の振動信号の位相の設定例を説明する図であり、図１２の（Ｂ）は複数の振動信号の周波数の設定例を説明する図である。図１２の（Ａ）に示す例では第１タップ係数を振動させる振動信号と第４タップ係数を振動させる振動信号の間に９０度の位相差を設けてある。また、図１２の（Ｂ）に示す例では第１タップ係数を振動させる振動信号の周波数と第４タップ係数を振動させる振動信号の周波数との間の比率を２：１にしてある。
１つのＥＤＣの複数のタップ係数に同時に振動信号を加えるとき、これらの振動信号の位相や周波数を異ならせることによって、タップ係数の軌跡の分布が広がり、より精度が高い品質指示情報の変化量を検出することができる。
【００５２】
図１３の（Ａ）は４つのタップを有するＥＤＣにおいて第１タップ係数と第２タップ係数を変化させたときの信号品質の変化のシミュレーション結果であり、図１３の（Ｂ）は第１タップ係数と第３タップ係数を変化させたときの信号品質の変化のシミュレーション結果を示す図である。図６に示すシミュレーション結果と同様に、図１３の（Ａ）では第１タップ係数及び第２タップ係数の各値に対するＢＥＲの値が点線にて示され、図１３の（Ｂ）では第１タップ係数及び第３タップ係数の各値に対するＢＥＲの値が点線にて示されている。また図中に示されたＢＥＲの値は、所定のＢＥＲの値に対する相対値をディジベル［ｄＢ］にて表示した値である。
【００５３】
図６に示した、第１及び第４タップ係数をそれぞれ変化させた場合のシミュレーション結果では、両端のタップである第１タップ係数と第４タップ係数との間で、タップ係数へのＢＥＲの依存度との間に大きな差はなかったが、第１タップ係数に比べて、中間のタップである第２及び第３タップへのＢＥＲの依存度は非常に小さい。したがって、タップ係数調整部１２によるタップ係数調整をこれら両端タップの一方又は両方にのみ行うことによりタップ調整の効果を維持しつつ制御時間の短縮を図ることができる。以下の他の実施例においても同様である。
【００５４】
図１４は、本光受信装置の第３実施例の構成図である。図２に示した光受信装置の構成要素と同様の構成要素については同じ参照符号を付し、同様の機能について説明を省略する。
図１４に示す構成では、光受信装置１は、ＥＤＣ５ａ及び５ｂのｎ個のタップ係数を制御するＥＤＣ制御部３０ａ及び３０ｂと、ブランチＢ１及びＢ２を流れる信号の振幅値をそれぞれ検出する振幅検出部４０ａ及び４０ｂを備える。
【００５５】
ＥＤＣ制御部３０ｂは、信号波形の分散補償のためのタップ制御を行うタップ係数最適制御部１１と、振幅制御部３１と、乗算器３２と、記憶部３３を備えている。ＥＤＣ制御部３０ａの構成はＥＤＣ制御部３０ｂの構成と同様である。タップ係数最適制御部１１は、図２を参照して説明したタップ係数最適制御部と同様である。
振幅制御部３１は、ブランチＢ２を流れる信号の振幅を振幅検出部４０ｂで検出した検出値に従って、ＥＣＤ５ｂの全てのタップ端子のタップ係数同士の比率を維持したままタップ係数を変化させることにより、ＥＣＤ５ｂの出力信号の振幅値をフィードバック制御する。
例えば、振幅制御部３１が、ＥＣＤ５ｂの全てのタップ端子に共通の振幅補正信号を出力し、乗算器３２によってこの振幅補正信号を、タップ係数最適制御部１１からＥＣＤ５ｂへ出力されるタップ係数の各々へ一律に乗ずることによって、タップ係数同士の比率を維持したままタップ係数を変更することができる。このようにタップ係数同士の比率を維持したままタップ係数を変更することにより、ブランチＢ２を流れる信号の波形を変えずにその振幅だけを調整することができる。
【００５６】
図１５は、タップ係数の制御方法の第３実施例を示すフローチャートである。ここでは、ＥＤＣ制御部３０ｂによるＥＤＣ５ｂのタップ係数の調整について記載するが、ＥＤＣ制御部３０ａによるＥＤＣ５ａのタップ係数についても同様である。
【００５７】
ステップＳ６０〜Ｓ６２の処理は、図３のステップＳ１０〜Ｓ１２の処理と同様である。
タップ係数最適制御部１１によるタップ係数の調整が終了した後、ステップＳ６３及びＳ６４において、振幅制御部３１は、振幅検出部４０ｂにより検出されたブランチＢ２を流れる信号の振幅が所定の許容範囲に収まるように、ブランチＢ２を流れる信号の振幅を調整する。
例えばステップＳ６３において、振幅制御部３１は、タップ係数最適制御部１１から出力されるタップ係数に一律に乗算される振幅補正信号の値を、信号の振幅を増減させたい方向に所定のステップ幅だけ変更し、ステップＳ６４においてタップ係数を変更後の振幅が所定の許容範囲に収まっているかを確認する、という動作を繰り返す。
また、所定の許容範囲は、例えばＣＤＲ回路６１ａ及び６１ｂの入力定格範囲としてよい。
【００５８】
タップ係数を変更後の振幅が所定の許容範囲に収まっている場合には、振幅制御部３１は、ステップＳ６５においてその時点の振幅補正信号の値を記憶部３３に記憶する。以後、振幅制御部３１は、記憶部３３に記憶された値を振幅補正信号の値として使用する。
以上の動作により、本光受信装置１は、分散補償後の信号の振幅を所定の許容範囲内に収めることができる。これによって後段の素子へ入力される信号振幅をその定格に合わせることが可能となるため、後段の素子による信号品質の劣化を低減することができる。本構成例ではＣＤＲ回路６１ａ及び６１ｂへの入力信号振幅を、これらＣＤＲ回路６１ａ及び６１ｂの入力定格範囲に収めることができる。
【００５９】
図１６は、本光受信装置の第４実施例の構成図である。本構成では、ＥＤＣ制御部３０ａ及び３０ｂにおいて信号波形の分散補償のためのタップ係数制御を行うタップ係数制御手段として、図２及び図７を参照して説明したタップ係数決定部１０を備える。以下の他の実施例においても、タップ係数制御手段としてタップ係数決定部１０を使用することができる。
【００６０】
図１７は、本光受信装置の第５実施例の構成図である。本構成では、ＥＤＣ制御部３０ａ及び３０ｂにより制御されるＥＤＣ５ａ及び５ｂの出力信号が、それぞれ他のＥＤＣ７ａ及び７ｂに入力される。図１８は、図１７に示すＥＤＣ５ｂ及び７ｂの構成例を示す図である。
例えば、ＥＤＣ５ｂは、遅延素子５１ａ、５１ｂ〜５１ｘと、異なる遅延量の信号にタップ係数を乗ずる乗算器５２ａ、５２ｂ〜５２ｙと、乗算器５２ａ、５２ｂ〜５２ｙの出力を合計する加算器５３を有するトランバーサルフィルタ（FFE: Feed-Forward Equalization）である。
【００６１】
一方で、ＥＤＣ７ｂは判定帰還型適応等化器（DFE: Decision Feedback Equalization）であり、判定器７１と、遅延素子７２及び遅延信号にタップ係数を乗ずる乗算器７３とからなるフィードバックフィルタと、フィードバックフィルタにより帰還した信号を入力信号から引く減算器７４を備えている。
タップ係数修正部７６は、判定器７１の入出力信号の差である等化誤差と判定器７１の出力信号との積を演算し、この積を累積加算器７７で累積加算したものをＥＤＣ７ｂ用のタップ係数として生成する。
本構成例ではＤＦＥであるＥＤＣ７ｂの判定器７１に入力される信号の振幅を所定の範囲内に収めることができるため、判定器７１による判定結果の精度を高めることが可能となる。
【００６２】
図１９は、本光受信装置の第６実施例の構成図である。本構成では、ＥＤＣ制御部３０ａ及び３０ｂにより制御されるＥＤＣ５ａ及び５ｂの出力信号が、増幅器８ａ及び８ｂに入力される。本構成例により、増幅器８ａ及び８ｂに入力されるブランチＢ１及びＢ２の信号振幅を、増幅器８ａ及び８ｂの入力定格に合わせることができる。
【００６３】
図２０は、本光受信装置の第７実施例の構成図である。図１４に示した光受信装置の構成要素と同様の構成要素については同じ参照符号を付し、同様の機能について説明を省略する。
本構成では、振幅検出部４０ａ及び４０ｂが検出した各ブランチＢ１及びＢ２を流れる信号の出力信号のそれぞれの振幅値の差及び和を算出する演算部９を備える。
【００６４】
振幅制御部３１は、上記説明したように振幅検出部４０ａ及び４０ｂにより検出されるそれぞれ振幅値が所定の範囲内に収まるようにＥＤＣ５ａ及び５ｂのタップ係数を調整するのに加えて、各ブランチＢ１及びＢ２間の信号の振幅差が少なくなるようにＥＤＣ５ａ及び５ｂのタップ係数を調整する。例えば、振幅制御部３１は、各ブランチＢ１及びＢ２間の信号のうち振幅が小さい信号の信号レベルを上げ、振幅が大きい信号の信号レベルを下げるようにタップ係数を調整することにより、各ブランチＢ１及びＢ２間の信号の振幅差を低減する。
【００６５】
各ブランチＢ１及びＢ２に設けられた遅延干渉計、ダイオード３ａ及び３ｂ、アンプ４ａ及び４ｂ、ＥＤＣ５ａ及び５ｂには特性差があるため、各ブランチを流れる信号の振幅や遅延時間に差が生じる。これらブランチ間の差を許容すると識別回路６にて正確に識別できる信号レベルや時間の範囲が狭くなるため、識別回路６による判定誤りが増加する。
本構成により、ブランチ間の振幅差が緩和されるため、識別回路６による判定精度が向上する。またブランチ間の遅延時間差によるブランチ間における振幅のバラツキも緩和されるので、さらに信号品質の改善が期待できる。
【００６６】
さらに、振幅制御部３１は、上記説明したように振幅検出部４０ａ及び４０ｂにより検出されるそれぞれ振幅値が所定の範囲内に収まるようにＥＤＣ５ａ及び５ｂのタップ係数を調整するのに加えて、各ブランチＢ１及びＢ２間の信号の振幅和が一定の範囲に収まるようにＥＤＣ５ａ及び５ｂのタップ係数を調整する。これによって各ブランチＢ１及びＢ２間の信号の平均レベルが所定の範囲内に入るようにタップ係数を制御することが可能となる。
【００６７】
以上の第１〜７実施例を含む実施形態に関し、更に以下の付記を開示する。
【００６８】
（付記１）
所定の振動信号を発生する発振回路と、
前記振動信号を、１以上のタップを有するトランバーサルフィルタのいずれかのタップのタップ係数に周期的に付加するための加算器と、
前記トランバーサルフィルタの出力信号の信号品質を測定する品質測定部と、
前記振動信号を前記タップ係数へ付加したときに生じる前記出力信号の前記信号品質の変化量が最適な値となるように前記タップ係数の値を最適制御するタップ係数調整部と、
を備えるトランバーサルフィルタのタップ係数制御装置。
【００６９】
（付記２）
前記振動信号として前記発振回路により出力される周期信号の位相を制御する位相制御部を備え、
前記トランバーサルフィルタは２以上のタップを有し、
前記発振回路は、複数の前記タップの各タップ係数に同時にそれぞれ付加される複数の前記周期信号を発生し、
前記位相制御部は、少なくとも１つの前記タップ係数に付加される周期信号の位相を、他の前記タップ係数のうち少なくとも１つに付加される周期信号の位相と異ならせる付記１に記載のタップ係数制御装置。
【００７０】
（付記３）
前記振動信号として前記発振回路により出力される周期信号の周波数を制御する周波数制御部を備え、
前記トランバーサルフィルタは２以上のタップを有し、
前記発振回路は、複数の前記タップの各タップ係数に同時にそれぞれ付加される複数の前記周期信号を発生し、
前記位相制御部は、少なくとも１つの前記タップ係数に付加される周期信号の周波数を、他の前記タップ係数のうち少なくとも１つに付加される周期信号の周波数と異ならせる付記１に記載のタップ係数制御装置。
【００７１】
（付記４）
前記トランバーサルフィルタは２以上のタップを有し、
前記振動信号は、前記トランバーサルフィルタの両端のタップの一方又は両方のタップ係数に付加される付記１〜３のいずれか一項に記載のタップ係数制御装置。
【００７２】
（付記５）
トランバーサルフィルタの出力信号の信号品質を測定する品質測定部と、
前記信号品質が最適な値となるように前記トランバーサルフィルタのタップのタップ係数を最適制御するタップ係数制御部と、
前記トランバーサルフィルタの出力信号の振幅値を検出する振幅検出部と、
前記出力信号の振幅の検出値に従って前記トランバーサルフィルタの全てのタップのタップ係数同士の比率を維持したままタップ係数を変化させることにより、前記出力信号の振幅値をフィードバック制御する振幅制御部と、
を備えるトランバーサルフィルタのタップ係数制御装置。
【００７３】
（付記６）
前記振幅検出部は、複数のブランチを流れる電気信号の波形等化を各々行う各前記トランバーサルフィルタの出力信号の振幅値を各々検出し、
前記タップ係数制御装置は、前記複数のブランチ間の前記出力信号の振幅値の差を算出する演算回路を備え、
前記振幅制御部は、前記複数のブランチ間の前記出力信号の振幅値の差を小さくするように前記出力信号の振幅値を制御する付記５に記載のタップ係数制御装置。
【００７４】
（付記７）
前記振幅検出部は、複数のブランチを流れる電気信号の波形等化を各々行う各前記トランバーサルフィルタの出力信号の振幅値を各々検出し、
前記タップ係数制御装置は、前記複数のブランチ間の前記出力信号の振幅値の和を算出する演算回路を備え、
前記振幅制御部は、前記複数のブランチ間の前記出力信号の振幅値の平均値が所定の範囲内に入るように前記出力信号の振幅値を制御する付記５に記載のタップ係数制御装置。
【００７５】
（付記８）
付記１〜７のいずれか一項に記載のタップ係数制御装置と、
受信した多値変調光信号を電気信号に復調する復調回路と、
前記タップ係数制御装置によりタップ係数が制御され、かつ前記復調回路により復調された電気信号の波形等化を行うトランバーサルフィルタと、
を備える光受信装置。（８）
【００７６】
（付記９）
付記８に記載の光受信装置と、
送信信号を前記多値変調光信号へ変調して前記光受信装置に送信する光送信装置と、
前記光受信装置と前記光送信装置との間の光伝送路と、
を備える光通信システム。
【００７７】
（付記１０）
所定の振動信号を、１以上のタップを有するトランバーサルフィルタのいずれかのタップのタップ係数へ周期的に付加し、
前記トランバーサルフィルタの出力信号の信号品質を測定し、
前記振動信号を前記タップ係数へ付加したときに生じる前記出力信号の前記信号品質の変化量が最適な値となるように前記タップ係数の値を最適制御する、
トランバーサルフィルタのタップ係数の制御方法。
【００７８】
（付記１１）
前記トランバーサルフィルタは２以上のタップを有し、
前記振動信号としての複数の周期信号を、複数の前記タップの各タップ係数に同時にそれぞれ付加し、
少なくとも１つの前記タップ係数に付加される周期信号の位相を、他の前記タップ係数のうち少なくとも１つに付加される周期信号の位相と異ならせる付記１０に記載の制御方法。
【００７９】
（付記１２）
前記トランバーサルフィルタは２以上のタップを有し、
前記振動信号としての複数の周期信号を、複数の前記タップの各タップ係数に同時にそれぞれ付加し、
少なくとも１つの前記タップ係数に付加される周期信号の周波数を、他の前記タップ係数のうち少なくとも１つに付加される周期信号の周波数と異ならせる付記１０に記載の制御方法。
【００８０】
（付記１３）
前記トランバーサルフィルタは２以上のタップを有し、
前記振動信号は、前記トランバーサルフィルタの両端のタップの一方又は両方のタップ係数に付加される付記１０〜１２のいずれか一項に記載の制御方法。
【００８１】
（付記１４）
トランバーサルフィルタの出力信号の信号品質を測定し、
前記信号品質が最適な値となるように前記トランバーサルフィルタのタップのタップ係数を最適制御し、
前記トランバーサルフィルタの前記出力信号の振幅値を検出し、
前記出力信号の振幅の検出値に従って前記トランバーサルフィルタの全てのタップのタップ係数同士の比率を維持したままタップ係数を変化させることにより、前記出力信号の振幅値をフィードバック制御するトランバーサルフィルタのタップ係数の制御方法。
【００８２】
（付記１５）
複数のブランチを流れる電気信号の波形等化を各々行う各前記トランバーサルフィルタの出力信号の振幅値を各々検出し、
前記複数のブランチ間の前記出力信号の振幅値の差を算出し、
前記複数のブランチ間の前記出力信号の振幅値の差を小さくするように前記出力信号の振幅値を制御する付記１４に記載の制御方法。
【００８３】
（付記１６）
複数のブランチを流れる電気信号の波形等化を各々行う各前記トランバーサルフィルタの出力信号の振幅値を各々検出し、
前記複数のブランチ間の前記出力信号の振幅値の和を算出し、
前記複数のブランチ間の前記出力信号の振幅値の平均値が所定の範囲内に入るように前記出力信号の振幅値を制御する付記１４に記載の制御方法。
【図面の簡単な説明】
【００８４】
【図１】本光通信システムの全体構成図である。
【図２】本光受信装置の第１実施例の構成図である。
【図３】タップ係数の制御方法の第１実施例を示すフローチャートである。
【図４】図３に示すタップ係数の最適化ルーチンの例のフローチャートである。
【図５】図３に示すタップ係数の調整ルーチンの例のフローチャートである。
【図６】図５に示すタップ係数の調整ルーチンの説明図である。
【図７】本光受信装置の第２実施例の構成図である。
【図８】タップ係数の制御方法の第２実施例を示すフローチャートである。
【図９】図８に示すタップ係数の調整ルーチンの例のフローチャートである。
【図１０】タップ係数の変更方向の説明図である。
【図１１】図９に示すタップ係数の調整ルーチンの説明図である。
【図１２】（Ａ）は複数の振動信号間の位相の設定例を説明する図であり、（Ｂ）は複数の振動信号間の周波数の設定例を説明する図である。
【図１３】（Ａ）は第１タップ係数と第２タップ係数を変化させたときの信号品質の変化のシミュレーション結果であり、（Ｂ）は第１タップ係数と第３タップ係数を変化させたときの信号品質の変化のシミュレーション結果を示す図である。
【図１４】本光受信装置の第３実施例の構成図である。
【図１５】タップ係数の制御方法の第３実施例を示すフローチャートである。
【図１６】本光受信装置の第４実施例の構成図である。
【図１７】本光受信装置の第５実施例の構成図である。
【図１８】図１７に示すＥＤＣの構成図である。
【図１９】本光受信装置の第６実施例の構成図である。
【図２０】本光受信装置の第７実施例の構成図である。
【符号の説明】
【００８５】
１    光受信装置
２    遅延干渉計
３ａ，３ｂ    バランストダイオード
５ａ，５ｂ    電気分散補償器
６    識別回路
１０    タップ係数決定部
１４ａ〜１４ｄ    発振器
１５ａ〜１５ｄ，１６ａ〜１６ｄ    加算器
１００    光通信システム
１０１    光送信装置
１０２    光伝送路
【図１】
0005157536.tif 000002
【図２】
0005157536.tif 000003
【図３】
0005157536.tif 000004
【図４】
0005157536.tif 000005
【図５】
0005157536.tif 000006
【図６】
0005157536.tif 000007
【図７】
0005157536.tif 000008
【図８】
0005157536.tif 000009
【図９】
0005157536.tif 000010
【図１０】
0005157536.tif 000011
【図１１】
0005157536.tif 000012
【図１２】
0005157536.tif 000013
【図１３】
0005157536.tif 000014
【図１４】
0005157536.tif 000015
【図１５】
0005157536.tif 000016
【図１６】
0005157536.tif 000017
【図１７】
0005157536.tif 000018
【図１８】
0005157536.tif 000019
【図１９】
0005157536.tif 000020
【図２０】
0005157536.tif 000021